(57)【要約】【課題】映像の表示に用いる表示パターンに適した音声を、出力することが可能な音声出力装置を提供する。【解決手段】テレビ本体１２に表示される映像に付随する音声を、スピーカ２７ａおよび２７ｂより出力する音声出力装置２０であって、上記音声の音量、周波数特性、及び、チャンネル数の少なくとも何れか１つを、テレビ本体１２が上記映像の表示に用いる表示パターンを示す表示パターン情報に基づいて設定する映像処理部２１を備えている。【選択図】図１
2009283997.tif 000002
【特許請求の範囲】
【請求項１】
表示装置に表示される映像に付随する音声を、スピーカより出力する音声出力装置であって、
上記音声のチャンネル数を、上記表示装置が上記映像の表示に用いる表示パターンを示す表示パターン情報に基づいて設定する制御手段を備えている、ことを特徴とする音声信号出力装置。
【請求項２】
上記制御手段は、上記音声の音量および周波数特性の少なくとも一方を、上記表示パターン情報に基づいて設定することを特徴とする、請求項１に記載の音声信号出力装置。
【請求項３】
上記スピーカの位置を検出する位置検出手段を、さらに備え、
上記制御手段は、設定する上記音声の周波数特性を、上記スピーカの位置を示すスピーカ位置情報に応じて切り替えることを特徴とする、請求項２に記載の音声出力装置。
【請求項４】
上記スピーカの位置を検出する位置検出手段を、さらに備え、
上記制御手段は、設定する上記音声のチャンネル数を、上記スピーカの位置を示すスピーカ位置情報に応じて切り替えることを特徴とする、請求項１から３までのいずれか１項に記載の音声出力装置。
【請求項５】
上記スピーカを複数備えており、
上記複数のスピーカのうち、予め定められた所定の位置以外にあるスピーカより、上記音声を出力することを特徴とする、請求項３または４に記載の音声出力装置。
【請求項６】
上記スピーカに充電するための充電器を、さらに備え、
上記充電器は、上記スピーカが充電中か否かを検出する充電状態検出手段を備え、
上記位置検出手段は、上記スピーカが充電中か否かを示す充電状態情報から、上記スピーカが予め定められた所定位置にあるか否かを判定し、当該判定結果を、上記スピーカ位置情報とすることを特徴とする、請求項３から５までのいずれか１項に記載の音声出力装置。
【請求項７】
請求項１から５までのいずれか１項に記載の音声出力装置を動作させるプログラムであって、コンピュータを上記の各手段として機能させるためのプログラム。
【請求項８】
請求項７に記載のプログラムを記録しているコンピュータ読み取り可能な記録媒体。
【発明の詳細な説明】
【技術分野】
【０００１】
本発明は、テレビ受信装置などの表示装置に接続する、表示装置が表示する映像に付随する音声を出力する音声出力装置に関するものである。
【背景技術】
【０００２】
近年、表示パネルの大型化に伴い、多画面表示機能を備えたテレビ受像機（以下、テレビと称する）が普及している。多画面表示とは、表示パネル上に複数の表示領域を設け、各表示領域に異なる映像を表示する表示態様を指す。例えば、２画面表示とは、表示パネルの左半分に第１の映像を、また、表示パネルの右半分に第２の映像を表示する表示態様を指す。
【０００３】
このような多画面表示機能を備えたテレビにおいて、複数の映像に付随する複数の音声を同時に出力する技術が、特許文献１に開示されている。この特許文献１が開示する従来技術においては、表示パネルに表示された第１の映像に付随する第１の音声と、第２の映像に付随する第２の音声とを、各々異なるスピーカを用いて同時に出力する。これにより、視聴者は、表示パネルに表示されたそれぞれの映像を音声付きで視聴することができる。
【０００４】
また、従来の多画面表示機能を備えたテレビにおいては、表示パネルの表示領域全体に、映像を表示する表示パターン（以下、全画面表示と称する）や、表示パネルの一部の表示領域に、映像を表示する表示パターン（以下、サブ画面表示と称する）や、上述した多画面表示の表示パターンなど、複数の表示パターンから、視聴者は、１つの表示パターンを選択して、映像および音声を視聴できる。
【０００５】
ここで、多画面表示機能を備えたテレビにおいて、映像を全画面表示で視聴する場合、この映像に付随する音声は、迫力や臨場感のある音声であることが好ましく、一方、映像をサブ画面表示や多画面表示で視聴する場合、この映像に付随する音声は、迫力や音量を抑えた音声であることが好ましい。つまり、多画面表示機能を備えたテレビにおいては、映像の表示に用いる表示パターンに適した音声を、出力することが必要となる。
【０００６】
また、特許文献２には、複数チャンネルの音声を、チャンネルごとに異なるスピーカを用いて出力する際、各スピーカごとに出力音声の出力レベルを制御する技術が開示されている。
【特許文献１】特開２００７−６８１１０号公報（２００７年３月１５日公開）
【特許文献２】特開２００７−１２９３３７号公報（２００７年５月２４日公開）
【発明の開示】
【発明が解決しようとする課題】
【０００７】
しかしながら、特許文献１においては、多画面表示において、各映像に付随した音声を、異なるスピーカによって出力する構成しか記載されていない。したがって、特許文献１に開示された構成では、表示パターンに適した音声を、出力することができない。
【０００８】
また、特許文献２には、スピーカごとの出力音声の出力レベルを制御する構成は開示されているものの、映像の表示パターンについては、開示されていない。したがって、特許文献１と同様に、特許文献２に開示された構成でも、映像を表示するための表示パターンに適した音声を、出力することができない。
【０００９】
本発明は、上記課題を解決するためになされたものであり、その目的は、映像の表示に用いる表示パターンに適した音声を、スピーカより出力することが可能な音声出力装置を提供することにある。
【課題を解決するための手段】
【００１０】
本発明の音声出力装置は、上記の課題を解決するために、
表示装置に表示される映像に付随する音声を、スピーカより出力する音声出力装置であって、上記音声のチャンネル数を、上記表示装置が上記映像の表示に用いる表示パターンを示す表示パターン情報に基づいて設定する制御手段を備えている、ことを特徴としている。
【００１１】
上記構成を備えたことにより、本構成の音声出力装置は、表示装置が映像の表示に用いる表示パターンに適した音声を、スピーカより出力できるという効果を奏する。
【００１２】
例えば、表示装置が、自身の映像表示領域に２つの映像を同時に表示するとき、言い換えれば、２つの映像をサブ画面表示する表示パターンを用いて映像を表示するとき、音声出力装置は、２つの映像に付随する音声の各々を、モノラル音声として出力し、一方、表示装置が、１つの映像を全画面表示する表示パターンを用いて映像を表示するとき、音声出力装置は、全画面表示された１つの映像に付随する音声を、ステレオ音声として出力する。このように、音声出力装置は、表示装置が映像の表示に用いる表示パターンに応じて、出力する音声のチャンネル数を設定することにより、全画面表示された映像に付随する音声を、視聴者にとってより迫力ある音声となる、複数のチャンネルで出力できる。
【００１３】
以上のように、本発明の音声出力装置は、表示装置が映像の表示に用いる表示パターンに適した音声を、出力できる。
【００１４】
また、本発明に係る音声出力装置では、さらに、
上記制御手段は、上記音声の音量および周波数特性の少なくとも一方を、上記表示パターン情報に基づいて設定することが好ましい。
【００１５】
上記構成を備えたことにより、本構成の音声出力装置は、表示装置が映像の表示に用いる表示パターンにより適した音声を、スピーカより出力できるという効果を奏する。
【００１６】
例えば、表示装置が、自身の映像表示領域全体に１つの映像を表示するとき、言い換えれば、１つの映像を全画面表示する表示パターンを用いて映像を表示するとき、音声出力装置は、この映像に付随する音声の音量を大きくできる。これにより、全画面表示された映像の迫力や臨場感に合わせて、この映像に付随する音声を、迫力や臨場感ある音声として出力できる。つまり、映像出力装置は、映像の表示に用いる表示パターンに適した音声を、スピーカより出力できる。
【００１７】
さらに、表示装置が、自身の映像表示領域に２つの映像を同時に表示するとき、言い換えれば、２つの映像をサブ画面表示する表示パターンを用いて映像を表示するとき、音声出力装置は、出力する音声の周波数特性を、音声周波数の低域および高域よりも、中域を強調するように設定する。これにより、スピーカより出力される各音声は、人間の声の周波数帯域に相当する中域の周波数帯域を強調されることになり、結果、音声出力装置は、２つの映像に付随する各音声を、視聴者にとって聞き取り易い音声として、スピーカより出力できる。つまり、映像出力装置は、映像の表示に用いる表示パターンに適した音声を、スピーカより出力できる。
【００１８】
また、本発明に係る音声出力装置は、さらに、
上記スピーカの位置を検出する位置検出手段を、さらに備え、上記制御手段は、設定する上記音声の周波数特性を、上記スピーカの位置を示すスピーカ位置情報に応じて切り替えることが好ましい。
【００１９】
上記構成によれば、音声出力装置は、スピーカの位置を検出することができる。したがって、音声出力装置は、スピーカが、予め定められた所定の位置にあるか否かを検出することができる。
【００２０】
ここで、スピーカが所定の位置にない場合、このスピーカは視聴者によって移動されていることになり、視聴者の周辺に位置していると考えられる。したがって、スピーカが所定の位置にない場合は、所定の位置にある場合に比べ、視聴者は小さい音量で音声を視聴している可能性が高い。
【００２１】
そこで、上記構成を備えたことにより、音声出力装置は、スピーカの位置が所定の位置にないことを検出した場合、出力する音声の周波数特性の設定を、音声周波数の低域および高域よりも、中域を強調するように切り替えることができる。これにより、視聴者がスピーカを自身の手元におき、小さい音量で音声を視聴している場合でも、音声に含まれる人間の声を聞き取り易くなる。つまり、音声出力装置は、視聴者に対して、映像および音声の内容を、小さな音量でも把握し易くするという効果を奏する。
【００２２】
また、本発明に係る音声出力装置は、さらに、
上記スピーカの位置を検出する位置検出手段を、さらに備え、上記制御手段は、設定する上記音声のチャンネル数を、上記スピーカの位置を示すスピーカ位置情報に応じて切り替えることが好ましい。
【００２３】
上記構成によれば、音声出力装置は、スピーカの位置を検出することができる。したがって、音声出力装置は、スピーカが、予め定められた所定の位置にあるか否かを検出することができる。
【００２４】
さらに、上記構成を備えたことにより、音声出力装置は、上記スピーカが所定の位置にある場合、出力する音声をステレオ音声として出力でき、一方、上記スピーカが所定の位置にない場合、出力する音声をモノラル音声として出力できる。
【００２５】
また、本発明に係る音声出力装置は、さらに、
上記スピーカを複数備えており、上記複数のスピーカのうち、予め定められた所定の位置以外にあるスピーカより、上記音声を出力することが好ましい。
【００２６】
既に述べたように、予め定められた所定の位置以外にあるスピーカは、視聴者の周辺に位置していると考えられる。
【００２７】
そこで、上記構成を備えたことにより、音声出力装置は、視聴者の周辺にあるスピーカのみから、音声を出力することができる。
【００２８】
また、本発明に係る音声出力装置は、さらに、
上記スピーカに充電するための充電器を、さらに備え、上記充電器は、上記スピーカが充電中か否かを検出する充電状態検出手段を備え、上記位置検出手段は、上記スピーカが充電中か否かを示す充電状態情報から、上記スピーカが予め定められた所定位置にあるか否かを判定し、当該判定結果を、上記スピーカ位置情報とすることが好ましい。
【００２９】
上記の構成によれば、音声出力装置は、スピーカが充電中か否かの情報だけから、言い換えれば、簡単な回路を充電器に備えるだけで、スピーカが予め定められた所定の位置にあるか否かを判定することができる。
【００３０】
なお、上記音声出力装置は、デジタルシグナルプロセッサ（ＤＳＰ：ｄｉｇｉｔａｌ  ｓｉｇｎａｌ  ｐｒｏｃｅｓｓｏｒ）等のコンピュータとして実現されていてもよい。この場合、コンピュータを上記各手段として機能させることにより、そのコンピュータを上記音声出力装置として動作させる音声出力プログラム、および、そのプログラムを記録した記録媒体も、本発明の範疇に含まれる。
【発明の効果】
【００３１】
本発明の音声出力装置は、以上のように、表示装置に表示される映像に付随する音声を、スピーカより出力する音声出力装置であって、上記音声の音量、周波数特性、及び、チャンネル数の少なくとも何れか１つを、上記表示装置が上記映像の表示に用いる表示パターンを示す表示パターン情報に基づいて設定する制御手段を備えている。
【００３２】
したがって、本発明の音声出力装置は、映像の表示に用いる表示パターンに適した音声を、出力することができる。
【発明を実施するための最良の形態】
【００３３】
以下、本発明に係る実施の形態を図面に基づいて説明する。
【００３４】
〔実施形態１〕
本発明の実施形態１について、図１〜図４を参照して以下に説明する。
【００３５】
（動作環境）
まず、図２（ａ）および（ｂ）を参照して、本実施形態に係るテレビジョン受像機（以下、テレビと称する）１０の動作環境ついて説明する。図２（ａ）は、表示パネル１１の表示領域全体に、１つの映像を表示しているテレビ１０を示す図であり、図２（ｂ）は、表示パネル１１に、異なる２つの映像を表示しているテレビ１０を示す図である。
【００３６】
図２（ａ）および（ｂ）に示すように、テレビ１０は、複数の映像を表示可能な表示パネル１１と、表示パネル１１を含むテレビ本体１２（表示装置）と、音声を出力可能な２つのスピーカ２７ａおよび２７ｂと、を備えている。さらに、図示しないが、テレビ１０は、表示中の映像に対応する音声信号を処理し、スピーカ２７ａおよび２７ｂに、表示中の映像に付随する音声を出力させる音声出力装置を備えている。また、テレビ本体１２は、放送電波を受信するチューナ（図示しない）と、視聴者からの指示（例えば、出力音声のボリューム値、表示する映像の切替、映像の表示形態の指定等）を受け付ける指示受付部（例えば、リモコンからの指示信号を受信する受信部）とを、備えている。
【００３７】
本実施形態に係るテレビ１０は、チューナによって放送電波を受信し、受信した放送電波に含まれる映像および音声を、表示部１１およびスピーカ２７ａおよび２７ｂより出力するものであるが、本発明はこれに限るものではなく、映像および音声を取得する構成として、インターネットより配信されたコンテンツデータとして取得する構成や、記録媒体再生装置を介して、記録媒体より取得する構成も含む。なお、テレビ１０が備える音声出力装置の詳細な説明は後述とする。
【００３８】
（動作環境ごとの音声特性）
図２（ａ）に示すように、テレビ１０が、表示パネル１１の表示領域全体に、１つの映像１３ａを表示している場合、テレビ１０は、映像１３ａに付随する音声を、迫力や臨場感ある音声として出力する必要がある。つまり、映像１３ａが、表示パネル１１の表示領域全体に表示される場合、言い換えれば、映像１３ａが全画面表示される場合、視聴者は、映像１３ａを迫力ある映像として視聴しており、この映像１３ａの表示形態に合わせて、映像１３ａに付随する音声も、迫力や臨場感ある音声として出力することが必要である。
【００３９】
ここで、テレビ１０が備える音声出力装置は、映像１３ａの表示形態に合わせて、言い換えれば、映像１３ａの表示パターンに応じて、映像１３ａに付随する音声の音量および周波数特性を制御し、この制御後の音声を、スピーカ２７ａおよび２７ｂが出力する。具体的には、図２（ａ）に示すような、表示パネル１１の表示領域全体に、１つの映像１３ａが表示されている場合、テレビ１０が備える音声出力装置は、映像１３ａに付随する音声の音量を大きくし、さらに、この音声の周波数帯域のうち、低域および高域の少なくとも一方を、中域よりも強調する。これにより、テレビ１０は、視聴者に対して、迫力や臨場感のある音声を提供することができる。また、映像１３ａに付随する音声が、左チャンネルと右チャンネルとの２つのチャンネルからなるステレオ音声であった場合、左チャンネルの音声は、スピーカ２７ａが出力し、右チャンネルの音声は、スピーカ２７ｂが出力する。
【００４０】
一方、図２（ｂ）に示すように、テレビ１０が、表示パネル１１に、異なる２つの映像１３ｂおよび１３ｃを表示している場合、テレビ１０は、映像１３ｂおよび１３ｃに付随する各音声を、図２（ａ）に示したような、迫力や臨場感ある音声として、出力する必要はない。つまり、映像１３ｂおよび１３ｃを、表示パネル１１の表示領域の一部に表示する場合、言い換えれば、映像１３ｂおよび１３ｃをサブ画面表示する場合、視聴者は、映像１３ｂおよび１３ｃを、迫力ある映像として視聴しておらず、この映像の表示形態に合わせて、映像１３ｂおよび１３ｃに付随する各音声も、迫力や音量を抑えた音声として出力することが必要である。さらに、２つの映像１３ｂおよび１３ｃの夫々に付随する音声を、同時に出力する場合、テレビ１０は、映像１３ｂに付随するステレオ音声をモノラル音声に変換し、映像１３ｃに付随するステレオ音声をモノラル音声に変換して、この２つのモノラル音声を、それぞれ、スピーカ２７ａおよび２７ｂより出力する必要がある。
【００４１】
ここで、テレビ１０が備える音声出力装置は、映像１３ｂおよび１３ｃの表示パターンに応じて、映像１３ｂおよび１３ｃに付随する各音声の音量および周波数特性を制御し、この制御後の音声を、スピーカ２７ａおよび２７ｂが出力する。具体的には、図２（ｂ）に示すような、表示パネル１１に、２つの映像１３ｂおよび１３ｃを表示している場合、映像１３ｂおよび１３ｃに付随する各音声の音量を小さくし、さらに、この各音声ごとに、各音声の周波数帯域のうち、中域を、高域または低域よりも強調する。このように、音声の周波数帯域の中域を強調することにより、音声に含まれる人間の声に対応する周波数帯域を強調することになる。これにより、出力する音声の音量を小さくしたとしても、音声に含まれる人間の声が聞き取りにくくなることを防止し、言い換えれば、表示中の映像の内容を把握できなくなることを防止できる。
【００４２】
また、映像１３ｂおよび１３ｃに付随する各音声が、ステレオ音声である場合、音声出力装置は、映像１３ｂおよび１３ｃの各ステレオ音声を、ダウンミックスすることにより、モノラル音声に変換する。このように、テレビ本体１２より入力された音声信号のチャンネルのチャンネル数を制御することにより、テレビ１０は、映像１３ｂに付随するモノラル音声と、映像１３ｃに付随するモノラル音声とを、スピーカ２７ａおよび２７ｂより同時に出力することができる。
【００４３】
なお、本実施形態においては、音声の周波数を３つの帯域に分け、周波数が低い順に、低域、中域、高域としている。さらに本実施形態においては、音声の周波数における中域を、１００Ｈｚ以上から５ｋＨｚ未満とし、高域を５ｋＨｚ以上とし、低域を１００Ｈｚ未満とする。
【００４４】
（表示パターン）
以上のように、本実施形態に係るテレビ１０は、自身が備える音声出力装置によって、映像の表示に用いる表示パターンに応じて、出力する音声を制御する。なお、図２（ａ）および（ｂ）において、２つ表示パターンを示したが、本実施形態に係るテレビ１０は、予め定められた４つの表示パターンに応じて、出力する音声を制御する。以下に、図３（ａ）〜（ｄ）を参照して、この４つの表示パターンの形態を説明する。図３（ａ）〜（ｄ）は、表示パネル１１が、映像の表示に用いる表示パターン１４ａ〜１４ｄの形態を示す図である。
【００４５】
まず、図３（ａ）に示すように、１つ目の表示パターン１４ａは、テレビ１０が、表示パネル１１の表示領域全体に、１つの映像１３ａを表示するとき、言い換えれば、１つの映像１３ａを全画面表示するときに用いる表示形態である。次に、図３（ｂ）に示すように、２つ目の表示パターン１４ｂは、テレビ１０が、表示パネル１１の表示領域に、異なる複数の映像１３ｂおよび１３ｃを表示するとき、言い換えれば、映像１３ｂおよび１３ｃのそれぞれを、サブ画面表示するときに用いる表示形態である。次に、図３（ｃ）に示すように、３つ目の表示パターン１４ｃは、テレビ１０が、表示パネル１１の表示領域の一部に、１つの映像１３ｂをサブ画面表示するときに用いる表示形態である。次に、図３（ｄ）に示すように、４つ目の表示パターン１４ｄは、テレビ１０が、表示パネル１１の表示領域の一部に、１つの映像１３ｃをサブ画面表示するときに用いる表示形態である。
【００４６】
以上のように、テレビ１０が表示パネル１１に映像を表示するにあたり、上記の表示パターン１４ａ〜１４ｄのうちの、どの表示パターンを用いて映像を表示するかを示す情報に基づいて、テレビ１０が備える音声出力装置は、出力する音声を制御する。
【００４７】
（音声出力装置の構成）
次に、テレビ１０が備える音声出力装置の構成を、図１を参照して説明する。図１は、テレビ１０が備える音声出力装置２０の構成を示すブロック図である。
【００４８】
図１に示すように、音声出力装置２０は、テレビ本体１２からの音声信号を処理する音声処理部（制御手段）２１と、音声処理部２１からの音声信号に基づき、音声を出力するスピーカ２７ａおよび２７ｂと、を備えている。また、音声処理部２１は、音声処理判定部２２、スイッチ２３ａおよび２３ｂ、ダウンミックス回路２４ａおよび２４ｂ、減衰／増幅部２５、スピーカ制御部２６、を備えている。
【００４９】
（音声出力装置の基本動作）
まず、音声処理部２１は、テレビ本体１２より、視聴者がどの表示パターンを指定したかを示す表示パターン情報と、テレビ本体１２が表示する映像に付随する音声信号とを取得する。音声処理部２１は、取得した表示パターン情報に基づき、テレビ本体１２からの音声信号を処理し、さらに、処理した音声信号を、スピーカ２７ａおよび２７ｂに出力する。スピーカ２７ａおよび２７ｂは、入力された音声信号に基づき、音声を出力する。以上が、音声出力装置２０の基本動作である。
【００５０】
なお、スピーカ２７ａおよび２７ｂは、アンプを内蔵し、音声信号を減衰または増幅することにより、電気信号から音として出力するものである。より詳細には、減衰／増幅部２５における音声信号の減衰または増幅は、スピーカ２７ａおよび２７ｂが出力する音声の音量および周波数特性を制御するものであり、一方、スピーカ２７ａおよび２７ｂにおける、音声信号の増幅は、音声信号を音声に変換して出力するためのものである。
【００５１】
次に、音声出力装置２０の動作を、より詳細に説明するために、各表示パターンごとの動作処理を説明する。
【００５２】
（表示パターン１４ａに基づく音声処理）
まず、テレビ本体１２が、映像１３ａの表示に用いる表示パターンとして、視聴者によって表示パターン１４ａを指定された場合、テレビ本体１２は、映像１３ａの表示に、表示パターン１４ａが指定されたことを示す表示パターン情報を、音声処理判定部２２に出力する。さらに、テレビ本体１２は、映像１３ａに付随するステレオ音声信号を、第１ステレオ音声信号として、スイッチ２３ａに出力する。
【００５３】
次に、音声処理判定部２２は、出力された表示パターン情報に基づき、スイッチ２３ａに、第１ステレオ音声信号をダウンミックスしないことを指示するスイッチ制御信号を出力する。スイッチ２３ａは、出力されたスイッチ制御信号に基づき、第１ステレオ音声信号を、減衰／増幅部２５に出力する。
【００５４】
ここで、減衰／増幅部２５は、視聴者により指定された出力音声のボリューム値に応じた増幅率（以下、基準増幅率とする）を用いて、第１ステレオ音声信号を減衰または増幅し、これにより、スピーカ２７ａおよび２７ｂが出力する音声の音量を調整する機能を有する。ここで、この減衰／増幅部２５は、基準増幅率だけでなく、音声処理判定部２２からの、増幅率制御信号にも基づいて、第１ステレオ音声信号を減衰または増幅する。具体的には、音声処理判定部２２は、スイッチ２３ａにスイッチ制御信号を出力するとともに、減衰／増幅部２５に、第１ステレオ音声信号の周波数帯域の低域および高域の少なくとも一方を、中域より強調するように指示し、かつ、基準増幅率よりも、大きい増幅率を用いて第１ステレオ音声信号を減衰または増幅することを指示する増幅率制御信号を出力する。減衰／増幅部２５は、出力された増幅率制御信号に基づき、第１ステレオ音声信号を減衰または増幅し、スピーカ制御部２６に出力する。なお、この減衰／増幅部２５における、音声信号の減衰および増幅動作の詳細な説明は後述とする。
【００５５】
次に、音声処理判定部２２は、第１ステレオ音声信号を、スピーカ２７ａおよび２７ｂに出力するように指示するスピーカ制御信号を、スピーカ制御部２６に出力する。具体的には、第１ステレオ音声信号は、左チャンネルの音声信号（以下、第１Ｌｃｈ音声信号とする）と、右チャンネルの音声信号（以下、第１Ｒｃｈ音声信号とする）とより構成されており、音声処理判定部２２が出力するスピーカ制御信号は、第１Ｌｃｈ音声信号を、スピーカ２７ａに出力するように、かつ、第１Ｒｃｈ音声信号を、スピーカ２７ｂに出力するように、スピーカ制御部２６に対して指示するものである。
【００５６】
スピーカ制御部２６は、出力されたスピーカ制御信号に基づき、第１Ｌｃｈ音声信号を、スピーカ２７ａに出力し、第１Ｒｃｈ音声信号を、スピーカ２７ｂに出力する。次に、スピーカ２７ａは、出力された第１Ｌｃｈ音声信号に基づき音声を出力し、一方、スピーカ２７ｂは、出力された第１Ｒｃｈ音声信号に基づき音声を出力する。
【００５７】
なお、本実施形態に係る音声出力装置２０おいて、スピーカ２７ａおよび２７ｂは、スピーカ制御部２６と無線によって接続する、ワイヤレススピーカである。つまり、スピーカ制御部２６は、無線通信技術を用いて、第１ステレオ音声信号を、スピーカ２７ａおよび２７ｂに送信する機能を有している。なお、本実施形態において、スピーカ制御部２６と、スピーカ２７ａおよび２７ｂとにおける、音声信号の送受信には、Ｂｌｕｅｔｏｏｔｈ等の公知の無線通信技術を用いるため、ここでは、その詳細な説明は省略する。
【００５８】
さらに、スピーカ２７ａおよび２７ｂは、複数の音声出力部を備えた多面体のスピーカユニットであってもよい。この場合、複数の音声出力部のそれぞれから出力する音声の音声レベルを制御することにより、出力する音声に指向性を持たせることが可能となる。
【００５９】
以上のように、テレビ本体１２が表示パターン１４ａを用いて映像１３ａを表示する場合、本実施形態に係る音声出力装置２０は、映像１３ａに付随する第１ステレオ音声信号をダウンミックスすることなく、さらに、減衰／増幅部２５において、第１ステレオ音声信号の音量を、視聴者が指定したボリューム値よりも大きい音量とし、さらに、第１ステレオ音声信号の周波数帯域の低域および高域の少なくとも一方を、中域よりも強調する制御を行う。これにより、テレビ本体１２が、映像１３ａを全画面表示する場合には、音声出力装置２０は、この映像１３ａに付随する音声を、迫力や臨場感ある音声として出力できる。
【００６０】
（表示パターン１４ｂに基づく音声処理）
次に、テレビ本体１２が、映像１３ｂおよび映像１３ｃの表示に用いる表示パターンとして、視聴者より表示パターン１４ｂを指定された場合における、音声出力装置２０の動作を説明する。
【００６１】
まず、テレビ本体１２は、映像１３ｂおよび映像１３ｃの表示に、表示パターン１４ｂが指定されたことを示す表示パターン情報を、音声処理判定部２２に出力する。さらに、テレビ本体１２は、映像１３ｂに付随するステレオ音声信号を、第１ステレオ音声信号として、スイッチ２３ａに出力し、映像１３ｃに付随するステレオ音声信号を、第２ステレオ音声信号として、スイッチ２３ｂに出力する。
【００６２】
次に、音声処理判定部２２は、出力された表示パターン情報に基づき、スイッチ２３ａに、第１ステレオ音声信号をダウンミックスすることを指示するスイッチ制御信号を出力し、スイッチ２３ｂに、第２ステレオ音声信号をダウンミックスすることを指示するスイッチ制御信号を出力する。
【００６３】
スイッチ２３ａは、スイッチ制御信号に基づき、出力された第１ステレオ音声信号を、ダウンミックス回路２４ａに出力し、スイッチ２３ｂは、スイッチ制御信号に基づき、出力された第２ステレオ音声信号を、ダウンミックス回路２４ｂに出力する。次に、ダウンミックス回路２４ａは、第１ステレオ音声信号を、ダウンミックスすることにより、モノラル音声信号（以下、第１モノラル音声信号とする）に変換し、減衰／増幅部２５に出力する。一方、ダウンミックス回路２４ｂは、第２ステレオ音声信号を、ダウンミックスすることにより、モノラル音声信号（以下、第２モノラル音声信号とする）に変換し、減衰／増幅部２５に出力する。
【００６４】
音声処理判定部２２は、スイッチ制御信号を出力するとともに、減衰／増幅部２５に、第１および第２モノラル音声信号の周波数帯域の中域を、強調するように指示し、かつ、基準増幅率よりも、小さい増幅率を用いて第１ステレオ音声信号を減衰または増幅することを指示する増幅率制御信号を出力する。減衰／増幅部２５は、出力された増幅率制御信号に基づき、第１および第２モノラル音声信号を減衰または増幅し、スピーカ制御部２６に出力する。
【００６５】
次に、音声処理判定部２２は、スピーカ制御部２６に対して、第１モノラル音声信号をスピーカ２７ａに、第２モノラル音声信号をスピーカ２７ｂに出力するように指示するスピーカ制御信号を出力する。スピーカ制御部２６は、出力されたスピーカ制御信号に基づき、第１モノラル音声信号を、スピーカ２７ａに出力し、第２モノラル音声信号を、スピーカ２７ｂに出力する。次に、スピーカ２７ａは、出力された第１モノラル音声信号に基づき音声を出力し、一方、スピーカ２７ｂは、出力された第２モノラル音声信号に基づき音声を出力する。
【００６６】
以上のように、テレビ本体１２が表示パターン１４ｂを用いて、映像１３ｂおよび１３ｃを表示する場合、本実施形態に係る音声出力装置２０は、映像１３ｂおよび１３ｃに付随する第１および第２ステレオ音声をダウンミックスすることにより、第１および第２モノラル音声信号に変換し、さらに、減衰／増幅部２５において、第１および第２モノラル音声信号の音量を、視聴者が指定したボリューム値よりも小さい音量とし、さらに、第１および第２モノラル音声信号の周波数帯域の中域を強調する制御を行う。これにより、テレビ１２が、映像１３ｂおよび１３ｃをサブ画面表示する場合には、この映像１３ｂおよび１３ｃに付随する音声を、迫力や音量を抑えた音声として出力できる。なお、第１および第２モノラル音声信号の中域を、低域および高域よりも強調することにより、人間の声に対応する周波数帯域を強調することになる。これにより、出力する音声の音量を小さくしたとしても、音声に含まれる人間の声が小さくなることを防止し、結果、視聴者にとって、映像１３ｂおよび１３ｃの内容を把握できなくなることを防止している。
【００６７】
（表示パターン１４ｃに基づく音声処理）
次に、テレビ本体１２が、映像１３ｂの表示に用いる表示パターンとして、視聴者によって表示パターン１４ｃを指定された場合における、音声出力装置２０の動作を説明する。
【００６８】
まず、テレビ本体１２は、映像１３ｂの表示に、表示パターン１４ｃが指定されたことを示す表示パターン情報を、音声処理判定部２２に出力する。さらに、テレビ本体１２は、映像１３ｂに付随するステレオ音声信号を、第１ステレオ音声信号として、スイッチ２３ａに出力する。
【００６９】
次に、音声処理判定部２２は、出力された表示パターン情報に基づき、スイッチ２３ａに、第１ステレオ音声信号をダウンミックスしないことを指示するスイッチ制御信号を出力する。スイッチ２３ａは、出力されたスイッチ制御信号に基づき、出力された第１ステレオ音声信号を、減衰／増幅部２５に出力する。
【００７０】
音声処理判定部２２は、スイッチ制御信号を出力するとともに、減衰／増幅部２５に対して、第１ステレオ音声信号の周波数帯域の低域および高域のすくなくとも一方を、中域より強調するように指示し、かつ、基準増幅率よりも、小さい増幅率を用いて第１ステレオ音声信号を減衰または増幅することを指示する増幅率制御信号を出力する。減衰／増幅部２５は、出力された増幅率制御信号に基づき、第１ステレオ音声信号を減衰または増幅し、スピーカ制御部２６に出力する。
【００７１】
次に、音声処理判定部２２は、第１ステレオ音声信号を、スピーカ２７ａおよび２７ｂに出力するように指示するスピーカ制御信号を、スピーカ制御部２６に出力する。具体的には、第１ステレオ音声信号を構成する、第１Ｌｃｈ音声信号、スピーカ２７ａに出力するように、かつ、第１Ｒｃｈ音声信号を、スピーカ２７ｂに出力するように、スピーカ制御部２６に対して指示するものである。
【００７２】
スピーカ制御部２６は、出力されたスピーカ制御信号に基づき、第１Ｌｃｈ音声信号を、スピーカ２７ａに出力し、第１Ｒｃｈ音声信号を、スピーカ２７ｂに出力する。次に、スピーカ２７ａは、出力された第１Ｌｃｈ音声信号に基づき音声を出力し、一方、スピーカ２７ｂは、出力された第１Ｒｃｈ音声信号に基づき音声を出力する。
【００７３】
以上のように、テレビ本体１２が表示パターン１４ｃを用いて映像１３ｂを表示する場合、本実施形態に係る音声出力装置２０は、映像１３ｂに付随する第１ステレオ音声信号をダウンミックスすることなく、さらに、減衰／増幅部２５において、第１ステレオ音声信号の音量を、視聴者が指定したボリューム値よりも小さい音量とし、さらに、第１ステレオ音声信号の周波数帯域の低域および高域のすくなくとも一方を、中域よりも強調する制御を行う。これにより、テレビ本体１２が、映像１３ｂをサブ画面表示する場合には、音声出力装置２０は、この映像１３ｂに付随する音声を、音量を抑えた音声として出力できる。
【００７４】
（表示パターン１４ｄに基づく音声処理）
次に、テレビ本体１２が、映像１３ｃの表示に用いる表示パターンとして、視聴者によって表示パターン１４ｄを指定された場合における、音声出力装置２０の動作を説明する。
【００７５】
まず、テレビ本体１２は、映像１３ｃの表示に、表示パターン１４ｄが指定されたことを示す表示パターン情報を、音声処理判定部２２に出力する。さらに、テレビ本体１２は、映像１３ｃに付随するステレオ音声信号を、第２ステレオ音声信号として、スイッチ２３ｂに出力する。
【００７６】
次に、音声処理判定部２２は、出力された表示パターン情報に基づき、スイッチ２３ｂに、第２ステレオ音声信号をダウンミックスしないことを指示するスイッチ制御信号を出力する。スイッチ２３ｂは、出力されたスイッチ制御信号に基づき、出力された第２ステレオ音声信号を、減衰／増幅部２５に出力する。
【００７７】
音声処理判定部２２は、スイッチ制御信号を出力するとともに、減衰／増幅部２５に対して、第２ステレオ音声信号の周波数帯域の低域および高域のすくなくとも一方を、中域より強調するように指示し、かつ、基準増幅率よりも、小さい増幅率を用いて第２ステレオ音声信号を減衰または増幅することを指示する増幅率制御信号を出力する。減衰／増幅部２５は、出力された増幅率制御信号に基づき、第２ステレオ音声信号を減衰または増幅し、スピーカ制御部２６に出力する。
【００７８】
次に、音声処理判定部２２は、第２ステレオ音声信号を、スピーカ２７ａおよび２７ｂに出力するように指示するスピーカ制御信号を、スピーカ制御部２６に出力する。第２ステレオ音声信号は、左チャンネルの音声信号（以下、第２Ｌｃｈ音声信号とする）と、右チャンネルの音声信号（以下、第２Ｒｃｈ音声信号とする）とより構成されており、音声処理判定部２２が出力するスピーカ制御信号は、第２Ｌｃｈ音声信号を、スピーカ２７ａに出力するように、かつ、第２Ｒｃｈ音声信号を、スピーカ２７ｂに出力するように、スピーカ制御部２６に対して指示するものである。
【００７９】
スピーカ制御部２６は、出力されたスピーカ制御信号に基づき、第２Ｌｃｈ音声信号を、スピーカ２７ａに出力し、第２Ｒｃｈ音声信号を、スピーカ２７ｂに出力する。次に、スピーカ２７ａは、出力された第２Ｌｃｈ音声信号に基づき音声を出力し、一方、スピーカ２７ｂは、出力された第２Ｒｃｈ音声信号に基づき音声を出力する。
【００８０】
以上のように、テレビ本体１２が表示パターン１４ｄを用いて映像１３ｃを表示する場合、本実施形態に係る音声出力装置２０は、映像１３ｃに付随する第２ステレオ音声信号をダウンミックスすることなく、さらに、減衰／増幅部２５において、第２ステレオ音声信号の音量を、視聴者が指定したボリューム値よりも小さい音量とし、さらに、第２ステレオ音声信号の周波数帯域の低域および高域のすくなくとも一方を、中域よりも強調する制御を行う。これにより、テレビ本体１２が、映像１３ｃをサブ画面表示する場合には、音声出力装置２０は、この映像１３ｂに付随する音声を、音量を抑えた音声として出力できる。
【００８１】
なお、本実施形態に係る音声出力装置においては、出力する音声の周波数特性について、表示パターン情報に基づいて、中域を強調するように制御するか、高域および低域の少なくともいずれか一方を強調するように制御するかの、どちらかの制御を行う構成としているが、中域を強調するか否かの制御だけを行う構成であってもよい。具体的には、本実施形態において、出力音声の周波数特性について、高域および低域の少なくともいずれか一方を強調する制御を、行わない構成であってもよい。
【００８２】
（減衰／増幅部２５の減衰および増幅動作）
次に、減衰／増幅部２５における、音声信号の減衰および増幅動作について、図４を参照して説明する。図４は、減衰／増幅部２５の構成を示すブロック図である。
【００８３】
図４に示すように、減衰／増幅部２５は、パラメトリックイコライザ（ＰＥＱ；Ｐａｒａｍｅｔｒｉｃ  Ｅｑｕａｌｉｚｅｒ）部２５ａおよび２５ｂを備えている。このＰＥＱ部２５ａおよび２５ｂは、音声信号におけるオーディオ周波数帯域を数分割することによって、それぞれの帯域ごとに通過レベルのゲイン（１以下を含む）等を調整できるイコライザであり、「中心周波数」、「Ｑ（Quality factor）」、および「ゲイン」の、３つのパラメータによって、通過帯域の中心周波数や周波数帯域幅を独立に変更調整することができる。ここで、Ｑ値とは、中心周波数のレベルから３ｄＢ減衰された、または増幅された周波数帯域幅（Δω）と、中心周波数ω０の比Ｑ＝ω０／Δωで表される。
【００８４】
なお、上記の３つのパラメータは、増幅率制御信号として音声処理判定部２２より入力されるものである。したがって、音声処理判定部２２は、テレビ本体１２からの表示パターン情報と、視聴者が指定したボリューム値に基づいて、音声信号を減衰または増幅するための、上記３つのパラメータ（「中心周波数」、「Ｑ（Quality factor）」、「ゲイン」）を決定し、決定した３つのパラメータを、増幅率制御信号として出力する。
【００８５】
まず、スイッチ２３ａより第１ステレオ音声信号が入力された場合、第１Ｌｃｈ音声信号はＰＥＱ部２５ａに入力され、第１Ｒｃｈ音声信号はＰＥＱ部２５ｂに入力される。ＰＥＱ部２５ａおよび２５ｂは、それぞれ第１Ｌｃｈ音声信号および第１Ｒｃｈ音声信号を、増幅率制御信号に基づいて減衰または増幅し、スピーカ制御部２６に出力する。
【００８６】
また、スイッチ２３ｂより第２ステレオ音声信号が入力された場合、第２Ｌｃｈ音声信号はＰＥＱ部２５ａに入力され、第２Ｒｃｈ音声信号はＰＥＱ部２５ｂに入力される。ＰＥＱ部２５ａおよび２５ｂは、それぞれ第２Ｌｃｈ音声信号および第２Ｒｃｈ音声信号を、増幅率制御信号に基づいて減衰または増幅し、スピーカ制御部２６に出力する。
【００８７】
また、ダウンミックス回路２４ａおよび２４ｂより、第１および第２モノラル音声信号が入力された場合は、第１モノラル音声信号は、ＰＥＱ部２５ａに入力され、第２モノラル音声信号は、ＰＥＱ部２５ｂに入力される。ＰＥＱ部２５ａおよび２５ｂは、第１および第２モノラル音声信号の各々を、増幅率制御信号に基づいて減衰または増幅し、スピーカ制御部２６に出力する。
【００８８】
以上のように、減衰／増幅部２５は、入力される音声信号の信号数に応じたＰＥＱ部を備え、各ＰＥＱ部において、増幅率制御信号に基づいて、各音声信号を減衰または増幅する。これにより、減衰／増幅部２５は、表示パターン情報および視聴者が指定したボリューム値に基づいて、スピーカ２７ａおよび２７ｂより出力する音声の、周波数特性および音量を調整することができる。
【００８９】
なお、本実施形態においては、音声信号における特定の周波数帯域を強調する手段として、ＰＥＱ部２５ａおよび２５ｂを用いたが、ＰＥＱ以外のフィルタと増幅器の組み合わせを用いて実現されてもよい。
【００９０】
以上に説明したテレビ１０においては、複数の映像をサブ画面表示する例として、２つの映像をサブ画面表示するものとして説明したが、本発明はこれに限るものではなく、３つ以上の映像を同時にサブ画面表示することも可能である。この場合、音声出力装置２０は、３つ以上の映像に付随する音声信号を入力し、この音声信号の信号数に応じて、スイッチ、ダウンミックス回路、減衰／増幅部２５が備えるＰＥＱ部、およびスピーカの数を適宜増やすことにより、２つの映像をサブ画面表示した場合と同様の作用効果を奏する。
【００９１】
なお、本実施形態におけるスピーカ２７ａおよび２７ｂは、スピーカ制御部２６より、無線によって音声信号を受信するワイヤレススピーカとして説明したが、本発明はこれに限るものではなく、スピーカ制御部２６と有線によって接続されたスピーカであってもよい。
【００９２】
〔実施形態２〕
次に、本発明の実施形態２に係る、音声出力装置２０´について、図５および図６を参照して説明する。以下の実施形態２に示す構成は、実施形態１の変形例である。具体的には、音声出力装置２０´が備えるスピーカ２７ａおよび２７ｂは、移動可能なものであり、さらに、音声出力装置２０´は、表示パターン情報と、このスピーカ２７ａおよび２７ｂの位置を示すスピーカ位置情報とに基づいて、出力する音声の音量・周波数特性・チャンネル数を制御する。
【００９３】
なお、実施形態２においては、上記の実施形態１と異なる箇所について説明し、重複する部材については、実施形態１と同様の部材番号を付して、その説明を省略する。
【００９４】
（音声出力装置２０´の構成）
まず、本実施形態に係る音声出力装置２０´の構成について、図５を参照して以下に説明する。図５は、音声出力装置２０´の構成を示すブロック図である。
【００９５】
図５に示すように、音声出力装置２０´は、音声処理部２１からの音声信号を無線通信技術を用いて受信するスピーカ２７ａおよび２７ｂと、音声処理部２１´とを備えている。さらに、音声処理部２１´は、スピーカ位置検出部２８（位置検出手段）と、実施形態１の音声処理判定部２２の代わる、音声処理判定部２２´とを備えている。
【００９６】
（音声出力装置２０´の基本動作）
まず、音声処理部２１´は、テレビ本体１２より、視聴者がどの表示パターンを指定したかを示す表示パターン情報と、テレビ本体１２が表示する映像に付随する音声信号とを取得する。さらに、音声処理部２１´は、スピーカ２７ａおよび２７ｂを、自身が備えるスピーカ位置検出部２８によって検出する。音声処理部２１´は、取得した表示パターン情報と、検出したスピーカ２７ａおよび２７ｂの位置を示すスピーカ位置情報とに基づいて、スイッチ２３ａおよび２３ｂの切替、減衰／増幅部２５における増幅率、音声信号の出力先となるスピーカを決定する。
【００９７】
（スピーカ位置検出）
次に、音声出力装置２０´における、スピーカ２７ａおよび２７ｂの位置を検出する構成について説明する。
【００９８】
まず、スピーカ２７ａおよび２７ｂの各々は、ワイヤレススピーカであるため、充電器が必要となる。ここで、当該充電器は、スピーカ２７ａおよび２７ｂの各々が、充電中か否かを検出する充電状態検出部を有している。これにより、充電器が、充電状態検出部を用いて、スピーカ２７ａおよび２７ｂについて、充電中であることを検出すると、スピーカ２７ａおよび２７ｂは、充電器が設置された位置、言い換えれば、所定の位置にあることになる。一方、充電器が、スピーカ２７ａおよび２７ｂについて、充電中でないことを検出すると、スピーカ２７ａおよび２７ｂは、充電器が設置された位置以外、言い換えれば、所定の位置以外にあることになる。さらに、本実施形態における、上記の充電器は、スピーカ２７ａおよび２７ｂが充電中か否かを示す充電状態情報を、スピーカ位置検出部２８に、有線または無線を用いて送信できる機能を有している。
【００９９】
したがって、スピーカ位置検出部２８は、スピーカ２７ａおよび２７ｂの各々の充電状態情報を、上記の充電器から取得し、スピーカ２７ａおよび２７ｂが、所定の位置（充電器の位置）にあるか否かを検出する。スピーカ位置検出部２８は、検出したスピーカ２７ａおよび２７ｂの各々の位置を示す情報を、言い換えれば、スピーカ２７ａおよび２７ｂの各々が、所定の位置にあるか否かを示すスピーカ位置情報を、音声処理判定部２２´に出力する。これにより、音声処理判定部２２´は、出力されたスピーカ位置情報と、表示パターン情報とに基づいて、テレビ本体１２からの音声信号を処理できる。
【０１００】
（音声処理）
次に、音声処理部２１´における、表示パターン情報と、スピーカ位置情報とに基づく、音声処理について、図６を参照して以下に説明する。図６は、表示パターン情報と、スピーカ位置情報とに基づく、音声処理の内容を示すマトリックス図である。
【０１０１】
まず、図６においては、実施形態１において説明した、表示パターン情報によって指定された４つの表示パターン１４ａ〜１４ｄ（図３（ａ）〜（ｄ）参照）と、スピーカ位置情報によって示された、スピーカ２７ａおよび２７ｂの４つの位置情報とに基づく、音声処理部２１´における、１６種類の音声処理内容を示している。
【０１０２】
例えば、制御１は、表示パターン情報が表示パターン１４ａを指定しており、かつ、スピーカ２７ａおよび２７ｂが共に所定の位置にある場合の、音声処理部２１´における音声処理内容を示している。さらに、制御１６は、表示パターン情報が表示パターン１４ｄを指定しており、かつ、スピーカ２７ａが所定の位置以外にあり、スピーカ２７ｂが所定の位置にある場合の、音声処理部２１´における音声処理内容を示している。
【０１０３】
また、図６において、スピーカ２７ａおよび２７ｂが、共に所定の位置にある場合の音声制御内容を、制御１〜４に示している。ここで、制御１〜４における、音声処理部２１´内の動作処理は、実施形態１において説明した、音声処理部２１内の動作処理と同じである。したがって、ここでは、制御１〜４における、音声処置部２１´内の動作処理について、その説明を省略する。さらに、図６に示すように、制御５、９および１３は、制御１と同じ制御内容であり、制御６、１０、および１４は、制御２と同じ制御内容である。したがって、ここでは、制御５、６、９、１０、１３、および１４についての、音声処理部２１´内の動作処理について、その説明を省略する。
【０１０４】
以下に、図６に示す制御７、８、１１、１２、１５および１６についての、音声処理部２１´の動作処理について説明する。
【０１０５】
（制御７および１５における動作処理）
以下に、図６に示す制御７および１５における、音声処理部２１´の動作処理を説明する。図６に示すように、制御７および１５における、音声処理部２１´の動作処理は、同じであるため、制御７および１５における動作処理を、合わせて説明する。
【０１０６】
まず、音声処理判定部２２´は、スピーカ位置検出部２８より、スピーカ２７ａおよび２７ｂの位置を示すスピーカ位置情報を取得する。さらに、音声処理判定部２２´は、テレビ本体１２より、映像１３ｂの表示に、表示パターン１４ａが指定されたことを示す表示パターン情報を取得し、映像１３ｂに付随するステレオ音声信号を、第１ステレオ音声信号として取得する。
【０１０７】
次に音声処理判定部２２´は、取得した表示パターン情報およびスピーカ位置情報に基づき、スイッチ２３ａに、第１ステレオ音声信号をダウンミックスすることを指示するスイッチ制御信号を出力する。
【０１０８】
スイッチ２３ａは、スイッチ制御信号に基づき、出力された第１ステレオ音声信号を、ダウンミックス回路２４ａに出力し、スイッチ２３ａは、スイッチ制御信号に基づき、出力された第１ステレオ音声信号を、ダウンミックス回路２４ａに出力する。次に、ダウンミックス回路２４ａは、第１ステレオ音声信号を、ダウンミックスすることにより、第１モノラル音声信号に変換し、減衰／増幅部２５に出力する。
【０１０９】
音声処理判定部２２は、スイッチ制御信号を出力するとともに、減衰／増幅部２５に、第１モノラル音声信号の周波数帯域の中域を、強調するように指示し、かつ、基準増幅率よりも、小さい増幅率を用いて第１モノラル音声信号を減衰または増幅することを指示する増幅率制御信号を出力する。減衰／増幅部２５は、出力された増幅率制御信号に基づき、第１モノラル音声信号を減衰または増幅し、スピーカ制御部２６に出力する。
【０１１０】
次に、音声処理判定部２２は、スピーカ制御部２６に対して、第１モノラル音声信号をスピーカ２７ａに送信するように指示するスピーカ制御信号を出力する。スピーカ制御部２６は、出力されたスピーカ制御信号に基づき、第１モノラル音声信号を、スピーカ２７ａに送信する。スピーカ２７ａは、受信した第１モノラル音声信号に基づき音声を出力する。
【０１１１】
（制御１１における動作処理）
次に、図６に示す制御１１における、音声処理部２１´の動作処理を、以下に説明する。なお、この制御１１における、音声処理部２１´の動作処理を説明するにあたり、上述した制御７における動作処理と異なる箇所について説明し、同じ動作処理については、その説明を省略する。
【０１１２】
まず、音声処理部２１´におけるの動作処理として、スイッチ２３ａがテレビ本体１２から第１ステレオ音声信号を取得して、増幅率制御２５が、スピーカ２６に、第１モノラル音声信号を出力するまでの動作処理は、上述の制御７における動作処理と同じである。
【０１１３】
ここで、音声処理判定部２２´は、スピーカ位置検出部２８より、スピーカ２７ａが所定の位置にあり、スピーカ２７ｂが所定の位置以外にあることを示すスピーカ位置情報を取得している。音声処理判定部２２´は、このスピーカ位置情報に基づき、スピーカ制御部２６に対して、第１モノラル音声信号をスピーカ２７ｂに送信するように指示するスピーカ制御信号を出力する。
【０１１４】
スピーカ制御部２６は、出力されたスピーカ制御信号に基づき、減衰／増幅部２５からの第１モノラル音声信号を、スピーカ２７ｂに送信する。スピーカ２７ｂは、受信した第１モノラル音声信号に基づき音声を出力する。
【０１１５】
（制御８および１２における動作処理）
以下に、図６に示す制御８および１２における、音声処理部２１´の動作処理を説明する。図６に示すように、制御８および１２における、音声処理部２１´の動作処理は、同じであるため、制御８および１２における動作処理を、合わせて説明する。
【０１１６】
まず、音声処理判定部２２´は、スピーカ位置検出部２８より、スピーカ２７ａおよび２７ｂの位置を示すスピーカ位置情報を取得する。さらに、音声処理判定部２２´は、テレビ本体１２より、映像１３ｃの表示に、表示パターン１４ａが指定されたことを示す表示パターン情報を取得し、映像１３ｃに付随するステレオ音声信号を、第２ステレオ音声信号として取得する。
【０１１７】
次に音声処理判定部２２´は、取得した表示パターン情報およびスピーカ位置情報に基づき、スイッチ２３ｂに、第２ステレオ音声信号をダウンミックスすることを指示するスイッチ制御信号を出力する。
【０１１８】
スイッチ２３ｂは、スイッチ制御信号に基づき、出力された第２ステレオ音声信号を、ダウンミックス回路２４ｂに出力し、スイッチ２３ｂは、スイッチ制御信号に基づき、出力された第２ステレオ音声信号を、ダウンミックス回路２４ｂに出力する。次に、ダウンミックス回路２４ｂは、第２ステレオ音声信号を、ダウンミックスすることにより、第２モノラル音声信号に変換し、減衰／増幅部２５に出力する。
【０１１９】
音声処理判定部２２は、スイッチ制御信号を出力するとともに、減衰／増幅部２５に、第２モノラル音声信号の周波数帯域の中域を、強調するように指示し、かつ、基準増幅率よりも、小さい増幅率を用いて第２モノラル音声信号を減衰または増幅することを指示する増幅率制御信号を出力する。減衰／増幅部２５は、出力された増幅率制御信号に基づき、第２モノラル音声信号を減衰または増幅し、スピーカ制御部２６に出力する。
【０１２０】
次に、音声処理判定部２２は、スピーカ制御部２６に対して、第２モノラル音声信号をスピーカ２７ｂに送信するように指示するスピーカ制御信号を出力する。スピーカ制御部２６は、出力されたスピーカ制御信号に基づき、第２モノラル音声信号を、スピーカ２７ｂに送信する。スピーカ２７ｂは、受信した第１モノラル音声信号に基づき音声を出力する。
【０１２１】
（制御１６における動作処理）
次に、図６に示す制御１６における、音声処理部２１´の動作処理を、以下に説明する。なお、この制御１６における、音声処理部２１´の動作処理を説明するにあたり、上述した制御８における動作処理と異なる箇所について説明し、同じ動作処理については、その説明を省略する。
【０１２２】
まず、音声処理部２１´におけるの動作処理として、スイッチ２３ｂがテレビ本体１２から第２ステレオ音声信号を取得して、増幅率制御２５が、スピーカ２６に、第２モノラル音声信号を出力するまでの動作処理は、上述の制御８における動作処理と同じである。
【０１２３】
ここで、音声処理判定部２２´は、スピーカ位置検出部２８より、スピーカ２７ａが所定の位置以外にあり、スピーカ２７ｂが所定の位置にあることを示すスピーカ位置情報を取得している。音声処理判定部２２´は、このスピーカ位置情報に基づき、スピーカ制御部２６に対して、第２モノラル音声信号をスピーカ２７ａに送信するように指示するスピーカ制御信号を出力する。
【０１２４】
スピーカ制御部２６は、出力されたスピーカ制御信号に基づき、減衰／増幅部２５からの第２モノラル音声信号を、スピーカ２７ａに送信する。スピーカ２７ａは、受信した第２モノラル音声信号に基づき音声を出力する。
【０１２５】
上述した制御７、８、１１、１２、１５および１６の動作処理から、本実施形態に係る音声出力装置２０´は、以下のような作用効果を奏することがわかる。まず、所定の位置以外にあるスピーカは、視聴者によって、所定の位置に設置された充電器の位置から、移動されていると考えられる。つまり、所定の位置以外にあるスピーカは、視聴者の周辺にあると考えられる。ここで、スピーカ２７ａおよび２７ｂの少なくとも一方が、所定の位置以外にある場合、音声出力装置２０´は、テレビ本体１２が表示中の映像に付随するステレオ音声を、モノラル音声に変換し、所定の位置以外にあるスピーカより優先して出力する。
【０１２６】
これにより、本実施形態に係る音声出力装置２０´は、表示中の映像に付随する音声を、視聴者の周辺にあるスピーカより優先して出力することが可能となり、結果、視聴者にとって聞き取り易いスピーカより、表示中の映像に付随する音声を出力することが可能になるという効果を奏する。
【０１２７】
（アップミックス）
なお、以上の実施形態１および２において、音声出力装置２０および２０´は、２個のスピーカを接続する構成であったが、３個以上のスピーカを接続する構成であってもよい。このとき、音声出力装置２０および２０´は、テレビ本体１２が１つの映像を全画面表示する場合、言い換えれば、テレビ本体１２が表示パターン１４ａを用いて映像を表示する場合、テレビ本体１２からの第１ステレオ音声信号を、アップミックスして、接続するスピーカの数に応じたチャンネル数の音声信号をスピーカに出力してもよい。
【０１２８】
例えば、接続するスピーカの数が６個以上であった場合、音声出力装置２０および２０´は、テレビ本体１２からのステレオ音声信号（全画面表示される映像に付随する音声信号）を、５．１チャンネル等のマルチチャンネルの音声信号にアップミックスして、より具体的には、６個のスピーカ（レフト、ライト、センター、リアのレフト、リアのライト、およびサブウーハー）に対応する音声信号にアップミックスして、チャンネルごとの音声信号を、各スピーカに出力してもよい。なお、このように、アップミックスを行うためには、音声出力装置２０および２０´は、スイッチ２３ａと減衰／増幅部２５との間に、アップミックス回路を備えればよい。このアップミックス回路におけるアップミックスの方法は、周知技術であるドルビープロロジック２等の方法を用いればよく、ここでは詳細な説明を省略する。
【０１２９】
また、音声出力装置２０および２０´は、上記のアップミックス回路を備えることにより、テレビ本体１２からの音声信号が、モノラル音声信号であり、かつ、テレビ本体１２が、１つの映像を全画面表示する場合において、テレビ本体１２からのモノラル音声信号を、ステレオ音声信号にアップミックスして、スピーカに出力してもよい。
【０１３０】
なお、上記のように、音声出力装置２０および２０´は、テレビ本体１２からの音声信号をアップミックスして、スピーカに出力するためには、アップミックス後の音声信号のチャンネル数以上のスピーカを接続している必要があることは、言うまでもない。
【０１３１】
（プログラムおよび記録媒体）
最後に、音声出力装置２０および２０´に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１３２】
すなわち音声出力装置２０および２０´は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１３３】
この記録媒体は、上述した機能を実現するソフトウェアである音声出力装置２０および２０´のプログラムのプログラムコード（実行形式プログラム、中間コードプログラム、ソースプログラム）をコンピュータで読み取り可能に記録していればよい。音声出力装置２０および２０´に、この記録媒体を供給する。これにより、コンピュータとしての音声出力装置２０および２０´（またはＣＰＵやＭＰＵ）が、供給された記録媒体に記録されているプログラムコードを読み出し、実行すればよい。
【０１３４】
プログラムコードを音声出力装置２０および２０´に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１３５】
また、音声出力装置２０および２０´を通信ネットワークと接続可能に構成しても、本発明の目的を達成できる。この場合、上記のプログラムコードを、通信ネットワークを介して音声出力装置２０および２０´に供給する。この通信ネットワークはコンテンツ表示装置１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１３６】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１３７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１３８】
なお、本発明の音声出力装置を備える再生装置を以下のように構成してもよい。
【０１３９】
（第１構成）
複数の放送チャンネル数に対応する複数のスピーカチャンネルを有し、サブ画面の１チャンネルに対応する音声を、少なくとも１つのスピーカチャンネルから出力し、全画面視聴時には、前記サブ画面に対応する１チャンネル以上の複数スピーカを用いて出力することを特徴とする再生装置。
【０１４０】
（第２構成）
上記複数のスピーカは、サブ画面に対応する１対１または、１対複数のIDを有して管理することを特徴とする、第１構成に記載の再生装置。
【０１４１】
（第３構成）
スピーカの位置を検出する手段を有し、スピーカが所定の位置にある場合と、ない場合において、音声制御を切り替えることを特徴とする、第１構成に記載の再生装置。
【０１４２】
（第４構成）
スピーカが所定の位置にあると検出された場合は、所定の位置にある複数のスピーカから全画面に対応するチャンネルの音声を出力し、スピーカが所定の位置にないと検出された場合は、少なくとも１つの所定の位置にないスピーカからサブ画面の音声を出力することを特徴とする、第１構成または第３構成に記載の再生装置。
【０１４３】
（第５構成）
スピーカが所定の位置にあると検出された場合に、スピーカが所定の位置にないと検出された場合に比して、音量レベルを自動的に上げる制御を行うことを特徴とする、第１構成、第３構成および第４構成のいずれか１つの構成に記載の再生装置。
【０１４４】
（第６構成）
スピーカが所定の位置にあると検出された場合は、所定の位置にある複数のスピーカの周波数帯域を制限せずに音声を出力し、スピーカが所定の位置にないと検出された場合は、少なくとも１つの所定の位置にないスピーカの周波数帯域を制限して音声を出力することを特徴とする、第１構成、第３構成および第４構成のいずれか１つの構成に記載の再生装置。
【０１４５】
（第７構成）
スピーカが所定の位置にあると検出された場合は、放送コンテンツのチャンネルをアップミックスして音声信号を出力し、スピーカが所定の位置にないと検出された場合は、放送コンテンツのチャンネルをダウンミックスして音声信号を出力することを特徴とする、第１構成、第３構成および第４構成のいずれか１つの構成に記載の再生装置。
【０１４６】
（第８構成）
上記複数のスピーカが所定の位置にあるなしの検出は、充電器のスイッチ接点を用いて行うことを特徴とする第３構成に記載の再生装置。
【産業上の利用可能性】
【０１４７】
本発明は、映像の表示に用いる表示パターンを指定する表示パターン情報に基づいて、映像に付随する音声の音量、周波数特性、および、当該音声を構成するチャンネルの数の、少なくともいずれか１つを制御することにり、映像の表示に用いる表示パターンに適した音声を、出力することが可能な音声出力装置を提供するものであり、特に、大型の表示パネルを備えたテレビジョン受像機において利用することが可能である。
【図面の簡単な説明】
【０１４８】
【図１】本発明の実施形態に係る、音声出力装置の構成を示すブロック図である。
【図２】本発明の実施形態に係る、テレビジョン受像機の動作環境を示す模式図である。
【図３】（ａ）〜（ｄ）は、本発明の実施形態に係る、テレビジョン受像機が映像の表示に用いる表示パターンを示す模式図である。
【図４】本発明の実施形態に係る、音声出力装置が備える増幅率制御の構成を示すブロック図である。
【図５】本発明の他の実施形態に係る、音声出力装置の構成を示すブロック図である。
【図６】本発明の他の実施形態に係る、音声出力装置の音声制御の内容を示すマトリックス図である。
【符号の説明】
【０１４９】
１２    テレビ本体（表示装置）
１４ａ  表示パターン
１４ｂ  表示パターン
１４ｃ  表示パターン
１４ｄ  表示パターン
２０    音声出力装置
２０´  音声出力装置
２１    音声処理部（制御手段）
２１´  音声処理部（制御手段）
２７ａ  スピーカ
２７ｂ  スピーカ
【図１】
2009283997.tif 000003
【図２】
2009283997.tif 000004
【図３】
2009283997.tif 000005
【図４】
2009283997.tif 000006
【図５】
2009283997.tif 000007
【図６】
2009283997.tif 000008